(57)【要約】      （修正有）【課題】入出力間と各出力間がともに絶縁されて使い勝手がよく、しかも様々な出力電圧の組み合わせを容易に実現できるスイッチング電源装置を提供する。【解決手段】第一トランス２０を介して互いに絶縁された第一入力側回路２２及び第一出力側回路２４を有し、入力電圧Viを第一出力電圧Vo1に変換し、第一の外部負荷１４に向けて出力する第一のコンバータ１８を備える。第二トランス３８を介して互いに絶縁された第二入力側回路４０及び第二出力側回路４２を有し、入力電圧Viを第二出力電圧Vo2に変換し、第一出力側回路２４が有する制御部２４ｓに向けて供給する第二のコンバータ３６を備える。第三トランス５６を介して互いに絶縁された第三入力側回路５８及び第三出力側回路６０を有し、第二出力電圧Vo2を第三出力電圧Vo3に変換し、第二の外部負荷１６に向けて供給する第三のコンバータ５４を備える【選択図】図１
2018029455.tif 000002
【特許請求の範囲】
【請求項１】
複数の出力を有した入出力絶縁型のスイッチング電源装置において、
第一トランスを介して互いに絶縁された第一入力側回路及び第一出力側回路を有し、前記第一入力側回路に入力された入力電圧を第一出力電圧に変換し、前記第一出力側回路に接続された第一の外部負荷に向けて出力する第一のコンバータと、
第二トランスを介して互いに絶縁された第二入力側回路及び第二出力側回路を有し、前記第二入力側回路に入力された前記入力電圧を第二出力電圧に変換し、前記第一出力側回路が有する制御部に向けて供給する第二のコンバータと、
第三トランスを介して互いに絶縁された第三入力側回路及び第三出力側回路を有し、前記第三入力側回路に入力された前記第二出力電圧を第三出力電圧に変換し、前記第三出力側回路に接続された第二の外部負荷に向けて出力する第三のコンバータとを備えることを特徴とするスイッチング電源装置。
【請求項２】
前記第三のコンバータは、
所定の時比率でハイレベルとローレベルを繰り返す基準パルスを生成するデジタルプロセッサと、
前記基準パルスを平滑して直流の基準電圧を生成する平滑回路と、
前記第三入力側回路に入力された前記第二出力電圧を断続する主スイッチング素子と、
前記第三出力電圧を検出した信号である出力検出信号と前記基準電圧との差を増幅して出力制御信号を生成する出力制御信号生成部と
前記出力制御信号をパルス幅変調することによって前記主スイッチング素子の駆動パルスを生成するＰＷＭ変調回路とを備え、
前記駆動パルスの時比率は、前記出力制御信号生成部及び前記ＰＷＭ変調回路が動作することによって、前記出力検出信号と前記基準電圧との差が小さくなるように可変される請求項１記載のスイッチング電源装置。
【請求項３】
前記デジタルプロセッサは、前記基準パルスの時比率の設定を外部から変更可能に構成されている請求項２記載のスイッチング電源装置。
【発明の詳細な説明】
【技術分野】
【０００１】
本発明は、複数の出力を有した入出力絶縁型のスイッチング電源装置に関する。
【背景技術】
【０００２】
従来から、複数の出力を有した入出力絶縁型のスイッチング電源が多数使用されており、近年、大電力のメイン出力と小電力の補助出力とを備えたスイッチング電源装置の需要が増えてきている。また、入出力間を絶縁して安全性確保するだけでなく、各出力間も絶縁し、さらに使い勝手をよくしたものが求められている。
【０００３】
従来、例えば特許文献１に開示されているように、１つの入力巻線及び３つの出力巻線から成るトランスを有し、各出力巻線に個別に出力整流平滑回路を接続することによって３つ出力を設けた多出力ＤＣ−ＤＣコンバータがあった。この構成によれば、入出力間を絶縁するとともに、各出力間も絶縁することができる。
【０００４】
また、特許文献２に開示されているように、１つの入力巻線及び１つの出力巻線から成る主変圧器及び補助変圧器を有し、主変圧器の出力巻線に出力整流平滑回路を接続することによってメイン出力を設け、さらに、主変圧器の出力巻線に補助変圧器の入力巻線を接続し、補助変圧器の出力巻線に別の出力整流平滑回路を接続することによって補助出力を設けた多出力ＤＣ−ＤＣコンバータがあった。この構成によれば、入出力間を絶縁することができ、各出力間も絶縁することができる。
【先行技術文献】
【特許文献】
【０００５】
【特許文献１】特開平１０−５６７７７号公報
【特許文献２】特開平１０−１２７０５４号公報
【発明の概要】
【発明が解決しようとする課題】
【０００６】
ユーザから要求されるメイン出力と補助出力の各電圧の組み合わせは様々であり、5V／15V、5V／12V、24V／15V、24V／5V、・・・等、ユーザの装置（外部負荷）の種類によって異なってくる。したがって、カタログ品を販売する標準電源メーカは、多種多様な要求に対応するのに苦慮していた。
【０００７】
例えば、特許文献１の多出力ＤＣ−ＤＣコンバータでメイン出力及び補助出力を構成した場合、メイン出力の電圧が変更になったときは勿論、メイン出力の電圧が同じであっても補助出力の電圧が変更になれば、仕様の異なる別のトランスを用意しなければならない。したがって、入力電圧を１種類とすると、トランスの種類は、メイン出力の電圧のバリエーション数と補助出力の電圧のバリエーション数を掛け算した数となる。
【０００８】
特許文献２の多出力ＤＣ−ＤＣコンバータでメイン出力及び補助出力を構成した場合、主変圧器の種類は、入力電圧を１種類とすると、メイン出力の電圧のバリエーション数と同じ数になる。一方、補助変圧器は、補助出力の電圧が変更になったときは勿論、補助出力の電圧が同じであってもメイン出力の電圧が変更になれば、仕様の異なる別のトランスを用意しなければならない。したがって、入力電圧を１種類とすると、補助変圧器の種類は、メイン出力の電圧のバリエーション数と補助出力の電圧のバリエーション数を掛け算した数になる。
【０００９】
このように、特許文献１，２の多出力ＤＣ−ＤＣコンバータの構成は、標準電源メーカが使用すると、非常に多種類のトランス（又は変圧器）を設計し評価しなければならないので、製品開発に手間が掛かる。また、量産時は、多種類のトランス（又は変圧器）の在庫管理や、製品の組み立てラインの段取り替え等の作業が必要で、非常に煩雑である。
【００１０】
本発明は、上記背景技術に鑑みて成されたものであり、入出力間と各出力間がともに絶縁されて使い勝手がよく、しかも様々な出力電圧の組み合わせを容易に実現できるスイッチング電源装置を提供することを目的とする。
【課題を解決するための手段】
【００１１】
本発明は、複数の出力を有した入出力絶縁型のスイッチング電源装置であって、第一トランスを介して互いに絶縁された第一入力側回路及び第一出力側回路を有し、前記第一入力側回路に入力された入力電圧を第一出力電圧に変換し、前記第一出力側回路に接続された第一の外部負荷に向けて出力する第一のコンバータと、第二トランスを介して互いに絶縁された第二入力側回路及び第二出力側回路を有し、前記第二入力側回路に入力された前記入力電圧を第二出力電圧に変換し、前記第一出力側回路が有する制御部に向けて供給する第二のコンバータと、第三トランスを介して互いに絶縁された第三入力側回路及び第三出力側回路を有し、前記第三入力側回路に入力された前記第二出力電圧を第三出力電圧に変換し、前記第三出力側回路に接続された第二の外部負荷に向けて出力する第三のコンバータとを備えたスイッチング電源装置である。
【００１２】
前記第三のコンバータは、所定の時比率でハイレベルとローレベルを繰り返す基準パルスを生成するデジタルプロセッサと、前記基準パルスを平滑して直流の基準電圧を生成する平滑回路と、前記第三入力側回路に入力された前記第二出力電圧を断続する主スイッチング素子と、前記第三出力電圧を検出した信号である出力検出信号と前記基準電圧との差を増幅して出力制御信号を生成する出力制御信号生成部と、前記出力制御信号をパルス幅変調することによって前記主スイッチング素子の駆動パルスを生成するＰＷＭ変調回路とを備え、前記駆動パルスの時比率は、前記出力制御信号生成部及び前記ＰＷＭ変調回路が動作することによって、前記出力検出信号と前記基準電圧との差が小さくなるように可変される構成にすることが好ましい。この場合、前記デジタルプロセッサは、前記基準パルスの時比率の設定を外部から変更可能に構成することが好ましい。
【発明の効果】
【００１３】
本発明のスイッチング電源装置によれば、入出力間が絶縁され、各出力間も絶縁された構成を容易に得ることができる。しかも、入力電圧を１種類とすると、第一トランスの種類は、第一出力電圧のバリエーション数と同じ数、第二トランスの種類は１種類、第三トランスの種類は第三出力電圧のバリエーション数と同じ数にすることができ、特許文献１，２の多出力ＤＣ−ＤＣコンバータと比較して、トランスの種類を格段に少なくすることができる。したがって、製品開発時、トランスの設計や評価の負担が大幅に軽減され、量産時、トランスの在庫管理や製品の組み立てラインの段取り替え等の手間も最小限に抑えられる。
【００１４】
また、第三のコンバータに所定のデジタルプロセッサ等を設け、第三出力電圧の設定を外部から変更できる構成にすることにより、第三トランスの種類をさらに少なくすることができる。
【図面の簡単な説明】
【００１５】
【図１】本発明のスイッチング電源装置の一実施形態を示す回路図である。
【図２】第一のコンバータの内部構成を示す回路図である。
【図３】第二のコンバータの内部構成を示す回路図である。
【図４】第三のコンバータの内部構成を示す回路図である。
【図５】第三のコンバータの基準電圧を外部可変するための構成の一例を示す図（ａ）、他の例を示す図（ｂ）である。
【発明を実施するための形態】
【００１６】
以下、本発明のスイッチング電源装置の一実施形態について、図面に基づいて説明する。この実施形態のスイッチング電源装置１０は、入力電源１２から入力された入力電圧Viを所定の電圧Vo1，Vo3に変換し、第一及び第二の外部負荷１４，１６に供給する装置であり、図１に示すように、３つのスイッチングコンバータ１８，３６，５４により構成されている。
【００１７】
第一のコンバータ１８は、第一トランス２０を介して互いに絶縁された第一入力側回路２２及び第一出力側回路２４を有し、第一入力側回路２２に入力された入力電圧Viを第一出力電圧Vo1に変換し、第一出力側回路２４に接続された第一の外部負荷１４に向けて出力する。第一のコンバータ１８の出力は、例えば大電力のメイン出力となる。
【００１８】
図２に示すように、第一のコンバータ１８は、主スイッチング素子２６、第一トランス２０、出力整流回路２８及び出力平滑回路３０で構成されたシングルエンディッドフォワード方式の電力変換部と、第一出力側回路２４に設けられた出力制御信号生成部３２及び第一入力側回路２２に設けられたＰＷＭ変調回路３４で構成された出力制御部を有している。
【００１９】
電力変換部の主スイッチング素子２６は、後述するＰＷＭ変調回路３４に駆動されてオンオフし、入力電源１２から供給された入力電圧Viを一定の周期で断続する。第一トランス２０は、入力巻線２０ａ及び出力巻線２０ｂを有し、主スイッチング素子２６のスイッチング動作によって発生した断続電圧が入力巻線２０ａに印加され、ほぼ相似形の電圧を出力巻線２０ｂから出力する。
【００２０】
出力整流回路２８は、２つの同期整流素子２８ａ，２８ｂと整流素子駆動回路２８ｃとで構成され、主スイッチング素子２６がオンの期間に出力巻線２０ｂに発生する電圧を同期整流素子２８ａ，２８ｂで整流する。出力平滑回路３０は、その整流電圧をインダクタ３０ａ及びコンデンサ３０ｂで平滑して出力電圧Vo1を生成し、コンデンサ３０ｂの両端に接続された第一の外部負荷１４に向けて出力する。
【００２１】
出力制御部の出力制御信号生成部３２は、第一出力電圧Vo1を抵抗分圧して出力検出信号Va1を取得し、出力検出信号Va1と基準電圧Vr1との差を増幅して出力制御信号So1を生成し、フォトカプラ等の絶縁素子を通じて出力する（直接制御型）。ＰＷＭ変調回路３４は、出力制御信号So1をパルス幅変調することによって主スイッチング素子２６の駆動パルスVg1を生成する。駆動パルスVg1の時比率は、出力制御信号生成部３２及びＰＷＭ変調回路３４が動作することによって、出力検出信号Va1と基準電圧Vr1との差が小さくなるように可変される。
【００２２】
ここで、第一出力側回路２４の制御部２４ｓについて説明する。制御部２４ｓは、第一出力側回路２４の電力変換動作が適切に行われるように制御又は補助するブロックのことで、ここでは、整流素子駆動回路２８ｃや出力制御信号生成部３２が該当する。これ以外にも、第一出力側回路２４に、各種信号を外部出力する回路等（アラーム信号やスイッチング動作停止信号を出力する回路等）が設けられていれば、これらも制御部２４ｓに該当する。制御部２４ｓは、通常、10V〜20V程度（例えば15V）の一定の電源電圧を受けて動作する。
【００２３】
制御部２４ｓに電源電圧を供給する方法として、例えば、第一トランス２０に別巻線を設け、別巻線の発生電圧を整流平滑して電源電圧を生成する方法がある。しかし、この方法は、例えば出力電流Io1が急変したときや、出力電圧Vo1が可変されて低い値に設定されたときに、主スイッチング素子２６のオン時比率が非常に小さくなるため、電源電圧が低下して制御部２４ｓが適正に動作できなくなってしまうケースがある。そこで、第一のコンバータ１８は、後述する第二のコンバータ３６の出力電圧Vo2を制御部２４ｓの電源電圧として使用し、第一のコンバータ１８の動作状態によらず、常に安定な電源電圧が得られるよう構成してある。
【００２４】
第二のコンバータ３６は、第二トランス３８を介して互いに絶縁された第二入力側回路４０及び第二出力側回路４２を有し、第二入力側回路４０に入力された入力電圧Viを第二出力電圧Vo2に変換し、第一出力側回路２４が有する制御部２４ｓに向けて供給する。また、出力電圧Vo2は、後述する第三のコンバータの入力電圧となる。
【００２５】
図３に示すように、第二のコンバータ３６は、主スイッチング素子４４、第二トランス３８、出力整流回路４６及び出力平滑回路４８で構成されたフライバック方式の電力変換部と、第二出力側回路４２に設けられた出力制御信号生成部５０及び第二入力側回路４０に設けられたＰＷＭ変調回路５２で構成された出力制御部を有している。
【００２６】
電力変換部の主スイッチング素子４４は、後述するＰＷＭ変調回路５２に駆動されてオンオフし、入力電源１２から供給された入力電圧Viを一定の周期で断続する。第二トランス３８は、入力巻線３８ａ及び出力巻線３８ｂを有し、主スイッチング素子４４のスイッチング動作によって発生した断続電圧が入力巻線３８ａに印加され、ほぼ相似形の電圧を出力巻線３８ｂから出力する。
【００２７】
出力整流回路４６はダイオードであり、主スイッチング素子４４がオフの期間に出力巻線３８ｂに発生する電圧を整流する。出力平滑回路４８はコンデンサであり、出力整流回路４６が出力した整流電圧を平滑して出力電圧Vo2を生成し、両端に接続された第一出力側回路２４の制御部２４ｓ及び第三のコンバータ５４の入力に向けて出力する。
【００２８】
出力制御部の出力制御信号生成部５０は、第二出力電圧Vo2を抵抗分圧して出力検出信号Va2を取得し、出力検出信号Va2と基準電圧Vr2との差を増幅して出力制御信号So2を生成し、フォトカプラ等の絶縁素子を通じて出力する（直接制御型）。なお、第二出力側回路４２の制御部に該当するのは出力制御信号生成部５０であるが、ここでは、安定な第二出力電圧Vo2（≒15V）を受けて動作する構成になっている。
【００２９】
ＰＷＭ変調回路５２は、出力制御信号So2をパルス幅変調することによって主スイッチング素子４４の駆動パルスVg2を生成する。駆動パルスVg2の時比率は、出力制御信号生成部５０及びＰＷＭ変調回路５２が動作することによって、出力検出信号Va2と基準電圧Vr2との差が小さくなるように可変される。
【００３０】
第三のコンバータ５４は、第三トランス５６を介して互いに絶縁された第三入力側回路５８及び第三出力側回路６０を有し、第三入力側回路５８に入力された電圧Vo2（第二のコンバータ３６の第二出力電圧Vo2）を第三出力電圧Vo3に変換し、第三出力側回路６０に接続された第二の外部負荷１６に向けて出力する。第三のコンバータ５４の出力は、例えば小電力の補助出力となる。
【００３１】
図４に示すように、第三のコンバータ５４は、主スイッチング素子６２、第三トランス５６、出力整流回路６４及び出力平滑回路６６で構成されたフライバック方式の電力変換部と、第三入力側回路５８に各々設けられた出力制御信号生成部６８及びＰＷＭ変調回路７０で構成された出力制御部を有している。
【００３２】
電力変換部の主スイッチング素子６２は、後述するＰＷＭ変調回路７０に駆動されてオンオフし、第二のコンバータ３６から供給された電圧Vo2を一定の周期で断続する。第三トランス５６は、入力巻線５６ａ、出力巻線５６ｂ及び補助巻線５６ｃを有し、主スイッチング素子６２のスイッチング動作によって発生した断続電圧が入力巻線５６ａに印加され、ほぼ相似形の電圧を出力巻線５６ｂ及び補助巻線５６ｃから出力する。
【００３３】
出力整流回路６４はダイオードであり、主スイッチング素子６２がオフの期間に出力巻線５６ｂに発生する電圧を整流する。出力平滑回路６６はコンデンサであり、出力整流回路６４が出力した整流電圧を平滑して出力電圧Vo3を生成し、両端に接続された第二の外部負荷１６に向けて出力する。
【００３４】
出力制御部の出力制御信号生成部６８は、主スイッチング素子６２がオフの期間に補助巻線５６ｃに発生する電圧をダイオード及びコンデンサで整流平滑し、抵抗分圧することによって出力検出信号Va3を取得する。さらに、出力検出信号Va3と基準電圧Vr3との差を増幅して出力制御信号So3を生成し、出力する（間接制御型）。ＰＷＭ変調回路７０は、出力制御信号So3をパルス幅変調することによって主スイッチング素子６２の駆動パルスVg3を生成する。駆動パルスVg3の時比率は、出力制御信号生成部６８及びＰＷＭ変調回路７０が動作することによって、出力検出信号Va3と基準電圧Vr3との差が小さくなるように可変される。
【００３５】
以上の構成を備えたスイッチング電源装置１０によれば、入力電源１２と外部負荷１４，１６との間が絶縁され、外部負荷１４と外部負荷１６との間も絶縁された構成を容易に得ることができる。しかも、入力電圧Viを１種類とすると、第一トランス２０の種類は、第一出力電圧Vo1のバリエーション数と同じ数、第二トランス３８の種類は１種類、第三トランス５６の種類は第三出力電圧Vo3のバリエーション数と同じ数にすることができ、特許文献１，２の多出力ＤＣ−ＤＣコンバータと比較して、トランスの種類を格段に少なくすることができる。したがって、製品開発時、トランスの設計や評価の負担が大幅に軽減され、量産時、トランスの在庫管理や組み立てラインの段取り替え等の手間も最小限に抑えられる。
【００３６】
なお、本発明のスイッチング電源装置は、上記実施形態に限定されるものではない。例えば、第三トランス５６の種類をさらに少なくするため、第三のコンバータ５４の出力制御信号生成部６８に、第三出力電圧Vo3を外部可変する機能を付加してもよい。第三出力電圧Vo3を外部可変するため構成は、例えば図５（ａ）に示すように、デジタルプロセッサ７２及び平滑回路７４を用いて基準電圧Vr3を生成するようにした構成が好適である。
【００３７】
デジタルプロセッサ７２は、内部にＣＰＵ７２ａ、通信部７２ｂ及びパルス生成部７２ｃを備えている。通信部７２ｂは、外部機器７６と通信を行うための通信モジュール、通信用プログラム、通信用メモリ等で構成され、ＣＰＵ７２ａの指令を受けて動作する。パルス生成部７２ｃは、ＣＰＵ７２ａの指令を受け、ハイレベルとローレベルを繰り返す基準パルスVrpを生成する。平滑回路７４は、例えば抵抗及びコンデンサで構成されたロ−パスフィルタであり、基準パルスVrpを平滑して直流の基準電圧Vr3を生成する。したがって、基準電圧Vr3は、基準パルスVrpのピーク値にハイレベル時比率Dhを掛け算した値となる。
【００３８】
使用者は、第三出力電圧Vo3の設定値を変更したいとき、外部機器７６からＣＰＵ７２ａに向けて、第三出力電圧Vo3（又は基準電圧Vr3）を指定するデジタル信号Sdを送信する。すると、ＣＰＵ７２ａは、指定された第三出力電圧Vo3及び基準電圧Vr3を実現するためのハイレベル時比率Dhを算出し、パルス生成部７２ｃに対してハイレベル時比率Dhの設定を変更するよう指令を出す。例えば、使用者が、第三出力電圧Vo1を15Vから5Vに変更するという信号Sdを送信すると、ＣＰＵ７２ａは、パルス生成部７２ｃに対してハイレベル時比率Dhを1/3に変更するよう指令を出す。このような構成にすることによって、第三出力電圧Vo3の設定値を高精度に設定又は変更することができ、しかも、第三トランス５６及びその他の部品を交換する手間も不要である。
【００３９】
ここで注意すべきは、第三出力電圧Vo3を変更したときの第三のコンバータ５４の電力損失の増加である。例えば、第一のコンバータ１８（大電力のメイン出力）の場合、基準電圧Vr1を変化させることによって第一出力電圧Vo1を15Vから5Vに変更し、同じ出力電力を取り出すと、特定のパワー部品の電力損失が著しく増加する可能性があり、電源装置全体の効率が大幅に低下したり、パワー部品の放熱ができなくなったりする等の不具合が発生する。したがって、第一出力電圧Vo1を15Vから5Vに変更する場合は、基準電圧Vr1を変化させるという方法を用いるのは実際的ではなく、出力巻線２０ｂの仕様（巻数、電線径等）を変更した別の第一トランス２０を用意して交換するのが好ましい。
【００４０】
これに対して、第三のコンバータ５４（小電力の補助出力）の場合は、電力損失が多少増加したとしても、電源装置全体の効率や発熱に与える影響は小さく、大きな問題にはならない。したがって、図５（ａ）に示す出力電圧可変の構成は、特に、第三のコンバータ５４（小電力の補助出力）の第三出力電圧Vo3を変更したいケースに適している。しかしながら、第一及び第二のコンバータ１８，３６であっても、例えば、第一又は第二出力電圧Vo1，Vo2を高精度に微調整したい場合や放熱性能に余裕がある場合は、この構成を使用することができる。
【００４１】
図５（ａ）に示す出力電圧可変の構成は、デジタル信号Sdを用いて第三出力電圧Vo3（又は基準電圧Vr3）を指定する構成であるが、直流電圧等のアナログ信号Saを用いて指定する構成にすることも可能である。例えば、図５（ｂ）に示すように、使用者が、第三出力電圧Vo3を指定するアナログ信号Saをデジタルプロセッサ７２に入力し、ＡＤコンバータ７２ｄでデジタル信号に変換してＣＰＵ７２ａに伝達するように構成すればよい。
【００４２】
第一から第三のコンバータの各電力変換部は、絶縁型の回路方式であればよく、特に限定されない。例えば、上記のシングルエンディッドフォワード方式やフライバック方式以外に、ハーフブリッジ方式、フルブリッジ方式、プッシュプル方式等も使用することができる。その他、上記の絶縁型の方式と非絶縁型のチョッパ方式とを組み合わせたもの等を使用してもよい。また、各出力側回路の整流方式についても限定されず、ダイオード整流でもよいし同期整流でもよい。
【００４３】
第三のコンバータ５４の出力制御信号生成部６８は、間接制御型なので第三入力側回路５８内に設けられているが、他の出力制御信号生成部３２，５０のような直接制御型に変更して第三出力側回路６０内に設けてもよい。反対に、出力制御信号生成部３２，５０を間接制御型に変更し、第一又は第二入力側回路２２，４０内に設けることも可能である。
【００４４】
スイッチング電源装置１０は、直流の入力電圧Viが入力される構成であるが、交流の入力電圧が入力される場合は、交流電圧を直流電圧Viに変換するため、入力段にブリッジ整流器を設けたり、力率改善用のアクティブフィルタ（昇圧チョッパ等）を設けたりするとよい。
【符号の説明】
【００４５】
１０  スイッチング電源装置
１４  第一の外部負荷
１６  第二の外部負荷
１８  第一のコンバータ
２０  第一トランス
２２  第一入力側回路
２４  第一出力側回路
２４ｓ  制御部
２６，４４，６２  主スイッチング素子
３２，５０，６８  出力制御信号生成部
３４，５２，７０  ＰＷＭ変調回路
３６  第二のコンバータ
３８  第二トランス
４０  第二入力側回路
４２  第二出力側回路
５４  第三のコンバータ
５６  第三トランス
７２  デジタルプロセッサ
７４  平滑回路
Dh  基準パルスのハイレベル時比率
So1，So2，So3  出力制御信号
Va1，Va2，Va3  出力検出信号
Vg1，Vg2，Vg3  駆動パルス
Vi  入力電圧
Vo1  第一出力電圧
Vo2  第二出力電圧
Vo3  第三出力電圧
Vr1，Vr2，Vr3  基準電圧
Vrp  基準パルス
【図１】
2018029455.tif 000003
【図２】
2018029455.tif 000004
【図３】
2018029455.tif 000005
【図４】
2018029455.tif 000006
【図５】
2018029455.tif 000007